(57)【要約】【課題】膨張部の膨張初期から下流側膨張部を含めた膨張部の広い領域に膨張用ガスを供給できるようにする。【解決手段】車体側布部３１及び乗員側布部３２を結合する周縁結合部３３よりも内側に、互いに左右方向に離間した箇所でそれぞれ略上下方向に延びて両布部３１，３２を周縁結合部３３よりも低い強度で結合し、かつ周縁結合部３３によって囲まれた膨張部３４を上流側膨張部４１と、その左右両側の下流側膨張部４２とに区画する一対の仮結合部３８が設けられる。各仮結合部３８の上端部４７と周縁結合部３３との間、及び各仮結合部３８の下端部４８と周縁結合部３３との間には、上流側膨張部４１及び各下流側膨張部４２を連通させる連通路４３，４４がそれぞれ設けられる。さらに、上流側膨張部４１の膨張に伴い各仮結合部３８による結合状態が上側の端末４５から下側の端末４６に向けて解除されるように、各仮結合部３８が設けられている。【選択図】図３
2014210521.tif 000002
【特許請求の範囲】
【請求項１】
膨張用ガスにより膨張する膨張部を備え、膨張完了時に車体側に配置される車体側布部と、膨張完了時に乗員側に配置される乗員側布部とを、それらの周縁部に沿って設けられた周縁結合部で結合することにより前記膨張部が形成された車両用エアバッグにおいて、
前記周縁結合部よりも内側には、互いに左右方向に離間した箇所でそれぞれ略上下方向に延びて前記車体側布部及び前記乗員側布部を前記周縁結合部よりも低い強度で結合し、前記膨張部を上流側膨張部と、その左右両側の下流側膨張部とに区画する一対の仮結合部が設けられ、
前記各仮結合部の上端部と前記周縁結合部との間、及び前記各仮結合部の下端部と前記周縁結合部との間には、前記上流側膨張部及び前記各下流側膨張部を連通させる連通路がそれぞれ形成され、
さらに、前記各仮結合部は、前記上流側膨張部の膨張に伴い前記仮結合部による結合状態が上側の端末から下側の端末に向けて解除されるように設けられていることを特徴とする車両用エアバッグ。
【請求項２】
前記両上側の端末は、対応する上側の前記連通路に面した状態で互いに指向しており、前記各下端部は、前記上流側膨張部及び前記下流側膨張部の境界部分に湾曲部を有している請求項１に記載の車両用エアバッグ。
【請求項３】
前記両上側の端末間の間隔は、前記両湾曲部間の間隔よりも狭く設定されている請求項２に記載の車両用エアバッグ。
【発明の詳細な説明】
【技術分野】
【０００１】
本発明は、車両に衝突等の衝撃が加わった場合に、乗員の前方で展開膨張してその乗員を衝撃から保護する車両用エアバッグに関するものである。
【背景技術】
【０００２】
車両のステアリングホイールには、車両に前方から衝撃が加わった場合に、ステアリングホイールと運転者との間で展開膨張して、その運転者の上半身を衝撃から保護するエアバッグ装置が組み込まれている。図６に示すように、このエアバッグ装置におけるエアバッグ５１は、膨張用ガスにより膨張する膨張部５２を備える。膨張部５２は、膨張完了時にステアリングホイール側に配置される車体側布部５３と、膨張完了時に運転者側に配置される乗員側布部５４とを、それらの周縁部に沿って設けられた周縁結合部５５で結合することにより形成されている（例えば、特許文献１参照）。なお、図６では、乗員側布部５４についても図示するために、車体側布部５３の一部が破断された状態で図示されている。
【０００３】
ここで、運転席に着座している運転者の腹部とステアリングホイールとの間隙は、運転者の胸部、頭部等とステアリングホイールとの間隙よりも狭い。そのため、エアバッグ５１を腹部とステアリングホイールとの間の狭い間隙で展開膨張させるためには、エアバッグ５１は小さな厚みで膨張されることが望ましい。一方で、運転者の上半身を衝撃から保護する観点からは、エアバッグ５１は大きな厚みで膨張されることが望ましい。
【０００４】
そこで、膨張部５２の周縁結合部５５よりも内側に一対の仮結合部５６が設けられる。両仮結合部５６は、ステアリングホイールが中立状態にあるとき、互いに左右方向に離間した箇所でそれぞれ略上下方向に延びて車体側布部５３及び乗員側布部５４を周縁結合部５５よりも低い強度で結合し、膨張部５２を上流側膨張部５７と、その左右両側の下流側膨張部５８とに区画する。さらに、各仮結合部５６は、同仮結合部５６による結合状態が、上流側膨張部５７の膨張に伴い上側の端末６１から下側の端末６２に向けて解除されるように設けられている。各仮結合部５６の上端部６３と周縁結合部５５の最寄りの箇所との間には、上流側膨張部５７及び下流側膨張部５８を連通させる連通路６４が形成されている。
【０００５】
そのため、前面衝突（前突）等により車両に対し前方から衝撃が加わると、慣性により運転者が前傾しようとするが、エアバッグ５１の膨張部５２では、上記衝撃に応じ、膨張用ガスが上流側膨張部５７に供給される。この膨張用ガスは、上流側膨張部５７を通過した後、各連通路６４から各下流側膨張部５８に流入する。この膨張用ガスにより、上流側膨張部５７及び各下流側膨張部５８が展開膨張する。この際、両仮結合部５６が上流側膨張部５７及び両下流側膨張部５８の膨張厚みを規制する。そのため、膨張部５２が運転者の腹部とステアリングホイールとの間の狭い間隙に入り込んで展開膨張しやすい。一方で、上流側膨張部５７の展開膨張に伴い、各仮結合部５６による結合状態が上側の端末６１から下側の端末６２に向けて解除されていく。結合状態が解除された箇所から各仮結合部５６による膨張厚みの規制が解除されるとともに、下流側膨張部５８が上流側膨張部５７に繋がっていき、膨張部５２の膨張厚みが上から下に向けて大きくなっていく。このように膨張厚みの大きくなっていく膨張部５２が、前傾しようとする運転者とステアリングホイールとの間に介在し、運転者を拘束し、衝撃から保護する。
【先行技術文献】
【特許文献】
【０００６】
【特許文献１】特開２０１１−１９５１３７号公報
【発明の概要】
【発明が解決しようとする課題】
【０００７】
ところが、上記エアバッグ５１の構成では、上流側膨張部５７内の膨張用ガスは、各仮結合部５６の上端部６３と周縁結合部５５との間の連通路６４からしか各下流側膨張部５８に供給されない。そのため、膨張部５２の膨張初期には、その膨張部５２の中央部分の上流側膨張部５７しか展開膨張させることができない。
【０００８】
こうした問題は、ステアリングホイール用のエアバッグ装置に限らず、車両の他の箇所に組み込まれるエアバッグ装置、例えば助手席用エアバッグ装置におけるエアバッグでも同様に起こり得る。
【０００９】
本発明は、このような実情に鑑みてなされたものであって、その目的は、膨張部の膨張初期から下流側膨張部を含めた膨張部の広い領域に膨張用ガスを供給することのできる車両用エアバッグを提供することにある。
【課題を解決するための手段】
【００１０】
上記課題を解決する車両用エアバッグは、膨張用ガスにより膨張する膨張部を備え、膨張完了時に車体側に配置される車体側布部と、膨張完了時に乗員側に配置される乗員側布部とを、それらの周縁部に沿って設けられた周縁結合部で結合することにより前記膨張部が形成された車両用エアバッグにおいて、前記周縁結合部よりも内側には、互いに左右方向に離間した箇所でそれぞれ略上下方向に延びて前記車体側布部及び前記乗員側布部を前記周縁結合部よりも低い強度で結合し、前記膨張部を上流側膨張部と、その左右両側の下流側膨張部とに区画する一対の仮結合部が設けられ、前記各仮結合部の上端部と前記周縁結合部との間、及び前記各仮結合部の下端部と前記周縁結合部との間には、前記上流側膨張部及び前記各下流側膨張部を連通させる連通路がそれぞれ形成され、さらに、前記各仮結合部は、前記上流側膨張部の膨張に伴い前記仮結合部による結合状態が上側の端末から下側の端末に向けて解除されるように設けられている。
【００１１】
上記の構成によれば、衝突等により、乗員の前方から車両に衝撃が加わると、慣性により乗員が前傾しようとする。一方、エアバッグの膨張部では、上記衝撃に応じ、膨張用ガスが上流側膨張部に供給される。この膨張用ガスは、上流側膨張部を通過した後、各上側の連通路及び各下側の連通路から各下流側膨張部に流入する。そのため、上側の連通路のみから膨張用ガスが各下流側膨張部に流入する場合よりも多くの膨張用ガスが各下流側膨張部に流入する。すなわち、膨張部の膨張初期から下流側膨張部を含めた膨張部の広い領域に膨張用ガスが供給される。そして、上記膨張用ガスにより、上流側膨張部及び各下流側膨張部が展開膨張する。この際、両仮結合部が上流側膨張部及び両下流側膨張部の膨張厚みを規制する。そのため、乗員の腹部とその前方の車体側部材との間隙が、胸部、頭部等とその前方の車体側部材との間隙よりも狭いが、膨張部がこの狭い間隙に入り込んで展開膨張しやすい。一方で、上流側膨張部の展開膨張に伴い、各仮結合部による結合状態が上側の端末から下側の端末に向けて解除されていく。結合状態が解除されたところから各仮結合部による膨張厚みの規制が解除されるとともに、下流側膨張部が上流側膨張部に繋がっていき、膨張部の膨張厚みが上から下に向けて大きくなっていく。このように膨張厚みの大きくなっていく膨張部が、前傾しようとする乗員とその前方の車体側部材との間に介在し、乗員を拘束し、衝撃から保護する。
【００１２】
上記車両用エアバッグにおいて、前記両上側の端末は、対応する上側の前記連通路に面した状態で互いに指向しており、前記各下端部は、前記上流側膨張部及び前記下流側膨張部の境界部分に湾曲部を有していることが好ましい。
【００１３】
上記の構成によれば、膨張用ガスが上流側膨張部から上側の連通路を経由して各下流側膨張部に流入する際には、車体側布部及び乗員側布部が撓んで互いに離間し、同連通路を開放させる。この離間の際に、各仮結合部の上端部において上側の連通路に面した箇所に対し、応力が加わる。同様に、膨張用ガスが上流側膨張部から下側の連通路を経由して各下流側膨張部に流入する際には、車体側布部及び乗員側布部が撓んで互いに離間し、同連通路を開放させる。この離間の際に、仮結合部の下端部において下側の連通路に面した箇所に対し、応力が加わる。
【００１４】
ここで、両上側の端末が、対応する上側の連通路に面した状態で互いに指向していることから、上記両布部の離間に伴う応力が両上側の端末に集中しやすい。これに対し、各下端部が、上流側膨張部及び下流側膨張部の境界部分に湾曲部を有していることから、上記両布部の離間に伴う応力が、湾曲部の曲線状をなす広い箇所で受け止められることとなり、同応力が湾曲部の特定の箇所に集中して加わることが起こりにくい。このように、各仮結合部のうち上側の端末と下端部とで両布部の離間に伴う応力が異なることから、各仮結合部による結合状態は、上流側膨張部の膨張に伴い上側の端末から下側の端末に向けて解除される。
【００１５】
上記車両用エアバッグにおいて、前記両上側の端末間の間隔は、前記両湾曲部間の間隔よりも狭く設定されていることが好ましい。
上記の構成によれば、上流側膨張部内の膨張用ガスは、車体側布部及び乗員側布部を互いに離間させて各上側の連通路から各下流側膨張部に流入する際、両上側の端末間の領域を通過する。また、上流側膨張部内の膨張用ガスは、両布部を互いに離間させて各下側の連通路から各下流側膨張部に流入する際、両湾曲部間の領域を通過する。この際、両布部の離間に伴い上側の端末及び湾曲部に応力が加わるところ、この応力は、広い領域に面している湾曲部におけるよりも、狭い領域に面している上側の端末において大きくなる。従って、各仮結合部による結合状態は、上流側膨張部の膨張に伴い上側の端末から下側の端末に向けてより一層解除されやすくなる。
【発明の効果】
【００１６】
上記車両用エアバッグによれば、各仮結合部の下端部と周縁結合部との間に、上流側膨張部及び各下流側膨張部を連通させる連通路を形成したため、膨張部の膨張初期から下流側膨張部を含めた膨張部の広い領域に膨張用ガスを供給することができる。
【図面の簡単な説明】
【００１７】
【図１】車両用エアバッグの一実施形態を示す図であり、エアバッグ装置が組み込まれたステアリングホイールの正面図。
【図２】一実施形態において、仮結合部の断面構造を模式的に示す断面図。
【図３】一実施形態において、車体側布部の一部が破断されて平らに展開されたエアバッグを、車体側布部側から見た状態を示す背面図。
【図４】一実施形態におけるステアリングホイール及びエアバッグ装置の断面図。
【図５】一実施形態を示す図であり、エアバッグが展開膨張する途中の状態をステアリングホイール及び運転者とともに示す断面図。
【図６】従来技術を示す図であり、ステアリングホイールに組み込まれた状態とは表裏が反転され、かつ車体側布部の一部が破断されて平らに展開されたエアバッグを、車体側布部側から見た状態を示す背面図。
【発明を実施するための形態】
【００１８】
以下、車両用エアバッグの一実施形態について、図１〜図５を参照して説明する。
図１及び図４に示すように、車両の運転席よりも前方には、回転軸線Ｌ１を中心として回転するステアリングシャフト（操舵軸）１１が、運転席側（後側、図４の左側）ほど高くなるように傾斜した状態で配設されている。ステアリングシャフト１１の後端部には、ステアリングホイール１２が一体回転可能に取付けられている。
【００１９】
なお、回転操作されるステアリングホイール１２の位置を特定するために、本実施形態では、車両が直進しているときのステアリングホイール１２の状態、すなわち中立状態を基準に、「上」、「下」、「左」、「右」を規定するものとする。従って、ステアリングホイール１２の左右方向は、車両の幅方向（車幅方向）と同一となる。
【００２０】
図１及び図５に示すように、ステアリングホイール１２は、リム部（ハンドル部、リング部と呼ばれることもある）１３、パッドカバー１４、ロアカバー１５及びスポーク部１６を備えている。
【００２１】
リム部１３は、上記ステアリングシャフト１１を中心とした略円環状をなしている。パッドカバー１４は、リム部１３の中央部分に配置されている。ロアカバー１５は、同中央部分においてパッドカバー１４の前側に配置されている。スポーク部１６は、リム部１３及びパッドカバー１４間に設けられている。
【００２２】
ステアリングホイール１２の上記構成部材（リム部１３、スポーク部１６）の各内部、及びパッドカバー１４とロアカバー１５とによって囲まれた空間には、鉄、アルミニウム、マグネシウム、又はこれらの合金等によって形成された芯金１７が配設されている。芯金１７は、ステアリングホイール１２の骨格部分をなすものである。
【００２３】
上記ステアリングホイール１２にはエアバッグ装置２０が組み込まれている。エアバッグ装置２０は、前面衝突（前突）等により、乗員としての運転者Ｐ１及び車両の前方からその車両に対し衝撃が加わった場合に、車両用エアバッグ（以下、単に「エアバッグ」という）３０を運転者Ｐ１とステアリングホイール１２との間で展開膨張させて、その運転者Ｐ１に加わる衝撃を緩和するためのものである。図４に示すように、エアバッグ装置２０は、上記エアバッグ３０のほかに、インフレータ２１、エアバッグカバー２２、ケース２４、リテーナ２６等を備えている。
【００２４】
インフレータ２１は、高さの低い円柱状をなしている。インフレータ２１の内部には、ガス発生剤（図示略）が収容されている。なお、インフレータ２１としては、上記ガス発生剤を用いたタイプに代えて、高圧ガスの充填された高圧ガスボンベの隔壁を火薬等によって破断してガスを噴出させるタイプが用いられてもよい。
【００２５】
エアバッグ３０は、強度が高く、かつ可撓性を有する織布等の布によって袋状に形成され、折り畳まれた状態で収納されている。エアバッグ３０の詳細については、後述する。
エアバッグカバー２２は、上記パッドカバー１４によって構成されている。エアバッグカバー２２は、折り畳まれてケース２４に収納されたエアバッグ３０を後方から覆う天井壁部２２ａと、天井壁部２２ａの外周縁付近から前方へ延びる略四角筒状の側壁部２２ｂとを備え、合成樹脂によって形成されている。天井壁部２２ａには、膨張するエアバッグ３０に押されて上下両側に開く一対の扉部２３が形成されている。図１では、両扉部２３は開かれた状態で図示されている。
【００２６】
ケース２４は、エアバッグ３０とインフレータ２１とを収納して保持するために用いられており、上記芯金１７に支持されている。また、ケース２４の側壁部２４ａには、リベット２５等により、エアバッグカバー２２の側壁部２２ｂが取付けられている。
【００２７】
リテーナ２６は、ボルト及びナット（図示略）により、エアバッグ３０及びインフレータ２１をケース２４に取付けるために用いられている。
上記インフレータ２１の作動は、制御装置２７によって制御される。制御装置２７に接続された衝突検知センサ２８は、車両の衝突時の減速度を検知可能な加速度センサ等からなる。制御装置２７は、衝突検知センサ２８から入力される電気信号に基づきインフレータ２１を作動させる。
【００２８】
次に、エアバッグ３０について説明する。
図３及び図５に示すように、エアバッグ３０は、膨張完了時に、車体側であるステアリングホイール１２側に配置される車体側布部３１と、膨張完了時に、乗員側である運転者Ｐ１側に配置される乗員側布部３２とを備えている。車体側布部３１及び乗員側布部３２は、平らに展開された状態では、図１において二点鎖線で示すように、ステアリングホイール１２のリム部１３よりも大径の略円形状をなしている。車体側布部３１及び乗員側布部３２は、それらの周縁部に沿って設けられた周縁結合部３３によって結合されている。
【００２９】
なお、図３では、乗員側布部３２についても図示するために、車体側布部３１の一部が破断された状態で図示されている。
本実施形態では、周縁結合部３３は、両布部３１，３２の周縁部を、縫合糸で縫合することにより形成されている。この点は、後述する仮結合部３８についても同様である。
【００３０】
上記縫製に関し、図３及び図６では、３つの線種によって縫製部分が表現されている。１つ目の線種は、一定長さの太線を断続的に並べて表現した線（破線の一種）であり、これは、縫合部分を前後方向から見た状態を示している（図３における仮結合部３８等参照）。２番目の線種は、一定長さ（一般的な破線よりも長い長さ）の細線を断続的に並べて表現した線（破線の一種）であり、これは、隠れていて直接は見えない縫糸の状態を示している（図３における周縁結合部３３等参照）。３番目の線種は、点を一定間隔おきに並べて表現した線（破線の一種）であり、これは、縫合の対象となる車体側布部３１と乗員側布部３２との間における縫糸の状態を示している（図３における周縁結合部３３、仮結合部３８等参照）。すなわち、縫製が３番目の線種で表現されている図は、縫製部分を通る断面に沿った断面構造を示している。
【００３１】
図３及び図５に示すように、車体側布部３１と乗員側布部３２との間であって、周縁結合部３３によって囲まれた空間は、インフレータ２１からの膨張用ガスによって膨張する膨張部３４となっている。
【００３２】
上記膨張部３４は、周縁結合部３３による結合後に両布部３１，３２が裏返されることによって形成されている。上記の裏返しにより、両布部３１，３２において周縁結合部３３よりも外側の部分である縫い代は、膨張部３４の内部に位置している。なお、膨張部３４は、周縁結合部３３による結合後に両布部３１，３２が裏返されないことによって形成されたものであってもよい。後者のタイプでは、両布部３１，３２において、周縁結合部３３よりも外側の部分である縫い代が膨張部３４の外部に露出する。
【００３３】
なお、周縁結合部３３は、上記縫糸を用いた縫合とは異なる手段、例えば接着剤を用いた接着によって形成されてもよい。
車体側布部３１の中央部には、インフレータ２１を膨張部３４内に挿入させるための開口３５が形成されている。また、車体側布部３１において、開口３５の周りの複数箇所には、リテーナ２６の図示しないボルトを挿通させるための取付孔３６が形成されている。
【００３４】
また、車体側布部３１の上部であって、左右対称となる２箇所には、それぞれ円形をなすベントホール３７が形成されている。
ここで、平らに展開された状態の膨張部３４について、その中央部の開口３５に近づく側を内側といい、遠ざかる側を外側というものとする。周縁結合部３３よりも内側には、ステアリングホイール１２が中立状態にあるとき、互いに左右方向に離間した箇所でそれぞれ略上下方向に延びる一対の仮結合部３８が設けられている。両仮結合部３８の少なくとも中間部分は、両布部３１，３２の外形形状に対応した形状、すなわち、外側へ膨らむ略円弧状をなしている。各仮結合部３８は、両布部３１，３２を周縁結合部３３よりも低い強度で結合している。膨張部３４は、両仮結合部３８により、同膨張部３４の中央部分の領域を占める１つの上流側膨張部４１と、上流側膨張部４１の左右両側に位置する一対の下流側膨張部４２とに区画されている。
【００３５】
各仮結合部３８の上端部４７と周縁結合部３３の最寄りの箇所との間には、上流側膨張部４１及び各下流側膨張部４２を連通させる上側の連通路４３が形成されている。また、各仮結合部３８の下端部４８と周縁結合部３３の最寄りの箇所との間には、上流側膨張部４１及び各下流側膨張部４２を連通させる下側の連通路４４が形成されている。
【００３６】
さらに、各仮結合部３８では、上流側膨張部４１の膨張に伴い、各仮結合部３８による結合状態を上側の端末４５から下側の端末４６に向けて解除させるための構造が採用されている。両上側の端末４５は、対応する上側の連通路４３に面した状態で互いに指向している。また、各仮結合部３８の下端部４８は、上流側膨張部４１及び下流側膨張部４２の境界部分に湾曲部４８ａを有している。さらに、両上側の端末４５間の間隔Ｄ１は、両湾曲部４８ａ間の間隔Ｄ２よりも狭く設定されている。
【００３７】
また、図２に示すように、仮結合部３８の形成、換言すると、車体側布部３１と乗員側布部３２との縫合には、上糸及び下糸として縫合糸Ｔ１，Ｔ２が用いられている。両縫合糸Ｔ１，Ｔ２は同一の素材によって形成されている。しかし、ステアリングホイール１２側の縫合糸Ｔ１として、運転者Ｐ１側の縫合糸Ｔ２よりも細く、強度の低いものが用いられている。
【００３８】
なお、周縁結合部３３の形成に用いられる縫合糸は、仮結合部３８を形成する縫合糸Ｔ１，Ｔ２よりも高く、かつ膨張部３４の膨張時にも結合状態を解除しない程度の強度を有している。
【００３９】
次に、上記のように構成された本実施形態の作用について説明する。
車両に対し、前面衝突（前突）等による前方からの衝撃が加わらないときには、エアバッグ装置２０では、制御装置２７からインフレータ２１に対し、これを作動させるための作動信号が出力されず、インフレータ２１から膨張用ガスが上流側膨張部４１に供給されない。そのため、エアバッグ３０は、折り畳まれた状態でステアリングホイール１２内に収納され続ける。
【００４０】
これに対し、車両の走行中に、前突等により車両に対し前方から衝撃が加わると、慣性により運転者が前傾しようとする。一方、エアバッグ装置２０では、車両に対し前方から所定値以上の衝撃が加わったことが衝突検知センサ２８によって検出されると、その検出信号に基づき制御装置２７からインフレータ２１に対し、これを作動させるための作動信号が出力される。この作動信号に応じて、インフレータ２１では、ガス発生剤が膨張用ガスを発生する。この膨張用ガスは、エアバッグ３０の上流側膨張部４１に供給される。この膨張用ガスは、上流側膨張部４１を通過した後、各上側の連通路４３及び各下側の連通路４４から各下流側膨張部４２に流入する。上側の連通路６４のみから膨張用ガスが各下流側膨張部５８に流入する特許文献１に比べ、多くの膨張用ガスが各下流側膨張部４２に流入する。すなわち、膨張部３４の膨張初期から下流側膨張部４２を含めた膨張部３４の広い領域に膨張用ガスが供給される。
【００４１】
そして、上記膨張用ガスにより、上流側膨張部４１及び各下流側膨張部４２が膨張する。この膨張するエアバッグ３０により、エアバッグカバー２２に押圧力が加わって、図１及び図４において二点鎖線で示すように、上下一対の扉部２３が押し開かれてエアバッグ３０が後方へ向けて展開膨張する。
【００４２】
この展開膨張の際、両仮結合部３８が図５において実線で示すように、上流側膨張部４１及び両下流側膨張部４２の膨張厚み、すなわち、車体側布部３１と乗員側布部３２との間隔を規制する。そのため、同図５に示すように、運転者Ｐ１の腹部ＰＢとステアリングホイール１２との間隙は、胸部ＰＴ、頭部ＰＨ等とステアリングホイール１２との間隙よりも狭いが、膨張厚みを規制された膨張部３４は、この狭い間隙に入り込んで展開膨張しやすい。腹部ＰＢがステアリングホイール１２に当たることがエアバッグ３０によって抑制される。
【００４３】
一方で、上流側膨張部４１の展開膨張に伴い、両仮結合部３８による結合状態が上側の端末４５から下側の端末４６に向けて解除されていく。すなわち、膨張用ガスが上流側膨張部４１から各上側の連通路４３を経由して各下流側膨張部４２に流入する際には、両布部３１，３２が撓んで互いに離間し、同連通路４３を開放させる。この離間の際に、各仮結合部３８の上端部４７において上側の連通路４３に面した箇所に対し、応力が加わる。同様に、膨張用ガスが上流側膨張部４１から各下側の連通路４４を経由して各下流側膨張部４２に流入する際には、両布部３１，３２が撓んで互いに離間し、同連通路４４を開放させる。この離間の際に、仮結合部３８の下端部４８において下側の連通路４４に面した箇所に対し、応力が加わる。
【００４４】
ここで、両上側の端末４５が、対応する上側の連通路４３に面した状態で互いに指向していることから、両布部３１，３２の離間に伴う応力が両上側の端末４５に集中しやすい。これに対し、各仮結合部３８の下端部４８が、上流側膨張部４１及び下流側膨張部４２の境界部分に湾曲部４８ａを有している。このことから、上記離間に伴う応力が、湾曲部４８ａの曲線状をなす広い箇所で受け止められる。その結果、上記応力が仮結合部３８における各湾曲部４８ａの特定の箇所に集中して加わることが起こりにくい。また、各仮結合部３８の多くを占める中間部分は円弧状をなしているため、部分的な応力集中が生じにくく、応力が仮結合部３８の中間部分の全体に分散されやすい。このように、各仮結合部３８のうち上側の端末４５と他の箇所（下端部４８を含む）とで両布部３１，３２の離間に伴う応力が異なることから、各仮結合部３８による結合状態は、上流側膨張部４１の膨張に伴い上側の端末４５から下側の端末４６に向けて解除される。換言すると、上側の端末４５が、仮結合部３８の結合解除時の起点となる始端を構成する。各仮結合部３８による結合状態の解除が、上側の端末４５（始端）を起点として円滑かつ迅速に行なわれる。
【００４５】
また、上流側膨張部４１内の膨張用ガスは、両布部３１，３２を離間させて各上側の連通路４３を通じて各下流側膨張部４２に流入する際、両上側の端末４５間の領域を通過する。また、上流側膨張部４１内の膨張用ガスは、両布部３１，３２を離間させて各下側の連通路４４を通じて各下流側膨張部４２に流入する際、両湾曲部４８ａ間の領域を通過する。この際、両布部３１，３２の離間に伴い上側の端末４５及び湾曲部４８ａに応力が加わるところ、この応力は、広い領域に面している湾曲部４８ａにおけるよりも、狭い領域に面している上側の端末４５において大きくなる。従って、各仮結合部３８による結合状態は、上流側膨張部４１の膨張に伴い上側の端末４５から下側の端末４６に向けてより一層解除されやすくなる。
【００４６】
さらに、上記結合状態の解除に際しては、仮結合部３８の一部を構成する縫合糸Ｔ１が破断される。この破断による糸抜けが伝播することで、仮結合部３８による結合状態の解除が円滑に行なわれる。
【００４７】
ここで、本実施形態では、ステアリングホイール１２側の縫合糸Ｔ１として、運転者Ｐ１側の縫合糸Ｔ２よりも細く、強度の低いものが用いられている。このように縫合糸Ｔ１と縫合糸Ｔ２とで強度差が設けられている。そのため、仮結合部３８による結合状態が解除される場合には、強度の低い方の縫合糸Ｔ１が、両布部３１，３２の離間に伴う応力によって破断され、仮結合部３８の結合解除が迅速に行なわれる。破断された縫合糸Ｔ１が順次抜かれるようにして糸抜けが伝播されつつ、上側の端末４５から下側の端末４６に向けて結合状態（縫合状態）が解除される。このようにして、仮結合部３８による結合状態の解除が円滑に行なわれる。なお、破断された縫合糸Ｔ１の多くは車体側布部３１の前側に位置することとなり、運転者Ｐ１側に飛散することが起こりにくい。
【００４８】
結合状態が解除された箇所から各仮結合部３８による膨張厚みの規制が解除されるとともに、各下流側膨張部４２が上流側膨張部４１に繋がっていき、図５において二点鎖線で示すように、膨張部３４の膨張厚みが上から下に向けて大きくなっていく。このように膨張厚みの大きくなっていく膨張部３４が、前傾しようとする運転者Ｐ１の上半身とステアリングホイール１２との間に介在する。運転者Ｐ１の上半身が膨張部３４によって拘束され、運転者Ｐ１の前傾が規制され、運転者Ｐ１が衝撃から保護される。
【００４９】
なお、膨張部３４内の余剰の膨張用ガスは、車体側布部３１に設けられたベントホール３７を通じて、エアバッグ３０の前方へ排出される。
以上詳述した本実施形態によれば、次の効果が得られる。
【００５０】
（１）周縁結合部３３よりも内側には、ステアリングホイール１２が中立状態にあるとき、互いに左右方向に離間した箇所でそれぞれ略上下方向に延びて車体側布部３１及び乗員側布部３２を周縁結合部３３よりも低い強度で結合し、膨張部３４を上流側膨張部４１と、その左右両側の下流側膨張部４２とに区画する一対の仮結合部３８を設ける。各仮結合部３８の上端部４７と周縁結合部３３との間、及び各仮結合部３８の下端部４８と周縁結合部３３との間に、上流側膨張部４１及び各下流側膨張部４２を連通させる連通路４３，４４をそれぞれ形成している（図３）。
【００５１】
そのため、膨張部３４の膨張初期から、両下流側膨張部４２を含めた膨張部３４の広い領域に膨張用ガスを供給することができる。膨張初期から膨張部３４の広い領域を展開させ、エアバッグ３０の展開初期での保護エリアを十分に確保することができる。
【００５２】
また、膨張部３４の膨張初期には、両仮結合部３８により膨張部３４の前後方向の膨張厚みを小さくし、ステアリングホイール１２（リム部１３）と運転者Ｐ１の腹部ＰＢとの間の狭い間隙に入り込ませることができ、エアバッグ３０の運転者Ｐ１に対する拘束性を安定させることができる（図５）。
【００５３】
（２）各仮結合部３８による結合状態が、上流側膨張部４１の膨張に伴い上側の端末４５から下側の端末４６に向けて解除されるようにしている（図３）。
そのため、膨張部３４の膨張厚みを時間とともに上から下に向けて大きくしていき、十分な膨張厚みに膨張した膨張部３４によって、前傾しようとする運転者Ｐ１を受け止めて衝撃から保護することができる。
【００５４】
（３）両上側の端末４５を、対応する上側の連通路４３に面した状態で互いに指向させる。各仮結合部３８の下端部４８において、上流側膨張部４１及び下流側膨張部４２の境界部分に湾曲部４８ａを設けている（図３）。
【００５５】
そのため、両布部３１，３２の離間に伴う応力が両上側の端末４５に集中して加わるようにする反面、湾曲部４８ａの特定の箇所に同応力が集中して加わらないようにすることができ、各仮結合部３８による結合状態を、上流側膨張部４１の膨張に伴い上側の端末４５から下側の端末４６に向けて解除させることができる。
【００５６】
（４）両上側の端末４５間の間隔Ｄ１を、両湾曲部４８ａ間の間隔Ｄ２よりも狭く設定している（図３）。
そのため、両布部３１，３２の離間に伴う応力を、間隔の狭い領域に面する上側の端末４５に加わりやすくし、間隔の広い領域に面する湾曲部４８ａに加わりにくくすることができ、各仮結合部３８による結合状態の解除を、上流側膨張部４１の膨張に伴い、上側の端末４５から下側の端末４６に向けて行なわせやすくすることができる。
【００５７】
（５）仮結合部３８を、縫合糸Ｔ１，Ｔ２を用いた縫合により形成している（図２）。
そのため、接着剤等を用いた場合よりも仮結合部３８の形成が容易となる。
（６）仮結合部３８の形成に際し、車体側布部３１と乗員側布部３２との縫合に用いられる縫合糸Ｔ１，Ｔ２として、強度の異なるものを用いている（図２）。
【００５８】
そのため、強度の低い縫合糸Ｔ１を破断させることで、両縫合糸Ｔ１，Ｔ２として強度の同じものを用いた場合よりも、仮結合部３８による結合を解除しやすくすることができる。
【００５９】
（７）各仮結合部３８の中間部分を湾曲状に形成している（図３）。
そのため、両布部３１，３２の離間に伴う応力を、湾曲状をなす広い箇所で受け止めることができる。その結果、上記応力が各仮結合部３８における中間部分の特定の箇所に集中して加わるのを抑制し、上側の端末４５よりも早く同中間部分が破断するのを抑制することができる。
【００６０】
（８）各仮結合部３８の中間部分を円弧状に形成している（図３）。
そのため、各仮結合部３８の中間部分を緩やかに変化する形状とし、同形状が急激に変化するものに比べ、同仮結合部３８の中間部分を縫製により容易に形成することができる。
【００６１】
（９）両仮結合部３８を左右対称形状に形成している。
そのため、結合状態の解除を左右の両仮結合部３８においてバランスよく行なうことができる。
【００６２】
なお、上記実施形態は、これを以下のように変更した変形例として実施することもできる。
＜仮結合部３８について＞
・各仮結合部３８は、乗員側布部３２及び車体側布部３１を接着剤で接着させることにより形成されたものであってもよい。この場合には、膨張用ガスによる上流側膨張部４１の膨張に伴い、接着部分が破断されて乗員側布部３２及び車体側布部３１が剥離されることにより、仮結合部３８による結合状態の解除が行なわれる。
【００６３】
・各仮結合部３８の中間部分は、上記実施形態とは異なる形状（非円弧状）に形成されてもよい。
・両上側の端末４５を対応する上側の連通路４３に面した状態で互いに指向させ、両下端部４８に湾曲部４８ａを形成することのみをもって、各仮結合部３８による結合状態を上側の端末４５から下側の端末４６に向けて解除できる場合には、両上側の端末４５間の間隔Ｄ１は、両湾曲部４８ａ間の間隔Ｄ２と同一、又は広く設定されてもよい。
【００６４】
＜縫合糸Ｔ１，Ｔ２について＞
・上記実施形態とは逆に、強度の低い縫合糸Ｔ１が乗員側布部３２側に配置され、強度の高い縫合糸Ｔ２が車体側布部３１側に配置されてもよい。
【００６５】
・縫合糸Ｔ１，Ｔ２として、異なる種類の素材によって形成されることで、互いに強度の異なるものが用いられてもよい。
・縫合糸Ｔ１，Ｔ２として、同等の強度を有するものが用いられてもよい。
【００６６】
＜その他＞
・上記車両用エアバッグは、ステアリングホイール用のエアバッグ装置２０とは異なるエアバッグ装置、例えば助手席用エアバッグ装置のエアバッグに適用可能である。
【００６７】
その他、前記各実施形態から把握できる技術的思想について、それらの効果とともに記載する。
（Ａ）請求項１〜３のいずれか１つに記載の車両用エアバッグにおいて、前記両仮結合部は、互いに強度の異なる縫合糸を上糸及び下糸として用いて前記車体側布部及び前記乗員側布部を縫合することにより形成されている。
【００６８】
上記の構成によれば、強度の低い縫合糸を破断させることで、両縫合糸として強度の同じものを用いた場合よりも、仮結合部による結合状態を解除しやすくすることができる。
（Ｂ）請求項１〜３及び上記（Ａ）のいずれか１つに記載の車両用エアバッグにおいて、前記仮結合部の中間部分は湾曲状に形成されている。
【００６９】
上記の構成によれば、車体側布部及び乗員側布部の離間に伴う応力が、各仮結合部における中間部分の特定の箇所に集中して加わるのを抑制し、上側の端末よりも早く同中間部分が破断するのを抑制することができる。
【００７０】
（Ｃ）請求項１〜３、上記（Ａ）及び（Ｂ）のいずれか１つに記載の車両用エアバッグにおいて、前記車体側布部は車両のステアリングホイールに面して配置され、前記乗員側布部は車両の運転者に面して配置され、前記両仮結合部は、前記ステアリングホイールが中立状態にあるとき、互いに左右方向に離間した箇所でそれぞれ略上下方向に延びて前記車体側布部及び前記乗員側布部を前記周縁結合部よりも低い強度で結合し、前記膨張部を上流側膨張部と、その左右両側の下流側膨張部とに区画するものである。
【００７１】
上記の構成によれば、車両のステアリングホイール用のエアバッグにおいて、請求項１〜３、上記（Ａ）及び（Ｂ）に記載の車両用エアバッグと同様の効果が得られる。
【符号の説明】
【００７２】
３０…車両用エアバッグ、３１…車体側布部、３２…乗員側布部、３３…周縁結合部、３４…膨張部、３８…仮結合部、４１…上流側膨張部、４２…下流側膨張部、４３…上側の連通路、４４…下側の連通路、４５…上側の端末、４６…下側の端末、４７…仮結合部の上端部、４８…仮結合部の下端部、４８ａ…湾曲部、Ｄ１，Ｄ２…間隔、Ｐ１…運転者（乗員）。
【図１】
2014210521.tif 000003
【図２】
2014210521.tif 000004
【図３】
2014210521.tif 000005
【図４】
2014210521.tif 000006
【図５】
2014210521.tif 000007
【図６】
2014210521.tif 000008